(57)【要約】      （修正有）【課題】建物の完成後により低コストで設置可能な折板屋根の氷柱防止装置を提供する。【解決手段】折板屋根１の軒の表面側に、略均等間隔で設けた複数の係止部材１１を備えるスペーサ１２を固定する一方、係止部材１１を介して、複数の発熱線２０を軒先と略平行に配列固定し、発熱線２０に対して給電装置から電源供給を行う。スペーサは、略均等間隔で設けた複数の係止部材を備えているため、発熱線がしっかりと固定される。折板屋根は傾斜が緩やかなので、足場を組まなくても屋根の上に立って配設作業を行うことが可能であり、既設の建物に対しても低コストで氷柱防止装置を設置することが出来る。【選択図】図１
0003206249.tif 000002
【実用新案登録請求の範囲】
【請求項１】
折板屋根の軒の表面側に、略均等間隔で設けた複数の係止部材を備えるスペーサを固定する一方、
前記係止部材を介して、複数の発熱線を軒先と略平行に配列固定し、
前記発熱線に対して給電装置から電源供給を行うことを特徴とする折板屋根の氷柱防止装置。
【請求項２】
スペーサは金属板を用いて成形し、
当該金属板に切込加工を施して、係止部材としての係止爪を成形したものであることを特徴とする請求項１記載の折板屋根の氷柱防止装置。
【請求項３】
スペーサは折板屋根の立上面に固定する一方、
スペーサの近傍に、雪の滑落を防止する雪止め部材を設けることを特徴とする請求項１または請求項２記載の折板屋根の氷柱防止装置。
【考案の詳細な説明】
【技術分野】
【０００１】
本考案は、折板屋根の軒先に生ずる氷柱の防止技術に関する。
【背景技術】
【０００２】
図９に示すような折板屋根１は、他の屋根の葺材に比べて長尺成形が可能であり、現場成形も可能であることから、大型の建築施設（倉庫、スーパーマーケット、工場、体育館、展示場等）の屋根材として用いられる。
【０００３】
図１０に示すように、折板屋根１の勾配は比較的緩やかである。少ない勾配で、建物の外壁２から突出させた軒（軒出部分）３の先端（軒先）４から雨水を排出する。
【０００４】
ところが寒冷地では、冬季に、軒先４に大きな氷柱（つらら）が出来やすいため、従来は、図１１、図１２に示すように、折板屋根１の軒３の裏面に面状ヒータ５を設けて、氷柱の発生を防止した。この面状ヒータ５は、折板屋根１の軒３の裏面にのみ設けるものである。このような技術としては、従来、例えば特許文献１が知られている。
【先行技術文献】
【特許文献】
【０００５】
【特許文献１】特開２００２−１２９７１１
【考案の開示】
【考案が解決しようとする課題】
【０００６】
問題は、建物が完成した後におけるヒータ設置の困難である。
【０００７】
折板屋根は、大型施設に用いられるため、建物が完成した後にヒータ（氷柱防止装置の加熱手段）を取り付けるためには、大がかりな足場を組む必要があり、主として経済的事情からヒータ設置を断念するケースが多い。
【０００８】
しかしながら、氷柱の落下に起因する事故が生じた場合の責任や保証等の問題もあるため、建物が完成した後であっても、出来るだけ設置コストを抑えつつヒータ設置を行いたいという社会的要請は根強く存在する。
【０００９】
そこで、本考案の目的は、建物の完成後における氷柱防止装置を、より低コストで設置可能とする点にある。
【課題を解決するための手段】
【００１０】
前記目的を達成するため、本考案に係る折板屋根の氷柱防止装置は、折板屋根の軒の表面側に、略均等間隔で設けた複数の係止部材を備えるスペーサを固定する一方、前記係止部材を介して、複数の発熱線を軒先と略平行に配列固定し、前記発熱線に対して給電装置から電源供給を行う。
【００１１】
本考案に係る氷柱防止装置は、軒の表面側に複数の発熱線を配するもので、当該発熱線は、軒の表面に固定したスペーサを介して行う。スペーサは、略均等間隔で設けた複数の係止部材を備えており、施工に際しては、この係止部材によって発熱線をしっかりと固定する。
【００１２】
折板屋根の傾斜は非常に緩やかであるから、軒の表面にスペーサを固定する作業も容易であり、当該スペーサの係止部材に発熱線を固定する作業も容易である。足場を組む必要もなく、屋根にのぼって作業を行うことが出来るからである。このため、作業時間も少なく、設置コストを確実に抑えることが出来る。
【００１３】
スペーサは金属板を用いて成形し、当該金属板に切込加工を施して、係止部材としての係止爪を成形したものとする場合がある（請求項２）。
【００１４】
金属板は、係止爪の成形加工も容易であり、適宜方法で軒の表面に固定するときも固定手段を選ばずに確実な固定作業を行うことが出来る。樹脂板に比べて耐候性にも優れ、取り扱いの容易さから成形コストと作業コストとを最も低減することが出来る。係止部材として、金属板を切削加工して成形した係止爪を用いると、最も容易に成形部材を配設でき、製品コストを抑えることが出来る。
【００１５】
スペーサは折板屋根の立上面に固定する一方、スペーサの近傍に、雪の滑落を防止する雪止め部材を設ける場合がある（請求項３）。
【００１６】
折板屋根は、水平面と立上面が連続する構造であり、スペーサはいずれに設置しても構わない。しかしながら、いわば谷底の水平面に固定するよりも、立上面に固定する方が、スペーサの固定作業が容易であり、また、発熱線を係止部材を介して固定する作業も容易となる。作業時の姿勢が微妙に違って、作業負担が軽減されるからである。
【００１７】
スペーサの近傍に雪止め部材を設けることにより、屋根に積もった氷雪が軒先に向かって一気に滑落することによる、発熱線への各種ダメージ（位置ずれや表皮損傷等）を防止できる。雪止め部材を設けておけば、設置後における氷柱防止装置を所謂メンテナンスフリーとすることが出来、また製品寿命を延ばすことが出来る。
【考案の効果】
【００１８】
本考案に係る氷柱防止装置によれば、折板を用いた建物の完成後における軒先の氷柱防止を、より低コストで実現することが出来る。
【図面の簡単な説明】
【００１９】
【図１】本考案に係る発熱線の配設状態を例示する斜視図である。
【図２】図１に示す発熱線の配設状態を拡大して例示する斜視図である。
【図３】図１に示す発熱線の一例を示す断面図である。
【図４】図１に示すスペーサを拡大して例示する斜視図である。
【図５】図１に示す発熱線の配設状態を断面で例示する図である。
【図６】図１に示す発熱線の近傍に配した雪止め部材を例示する図である。
【図７】本考案に係る係止部材の他の例を示す図である。
【図８】図７に示す係止部材の封止状態を示す図である。
【図９】従来の折板屋根の一般例を示す図である。
【図１０】図９に示す折板屋根を外壁とともに示す側面図である。
【図１１】図９に示す折板屋根の裏面に面状ヒータを配した図である。
【図１２】図１１に示す面状ヒータの配設位置を側面から示す図である。
【考案を実施するための形態】
【００２０】
図１、図２は、本考案に係る折板屋根の氷柱防止装置の一例を示すものである。この氷柱防止装置は、折板屋根１の軒３の表面側に、略均等間隔で設けた複数の係止部材、例えば、係止爪１１を備えるスペーサ１２を固定する一方、前記係止爪１１を介して、複数の発熱線２０を軒先４と略平行に配列固定し、発熱線２０に対して給電装置（図示せず）から電源供給を行う。スペーサ１２および発熱線２０は、建物の外壁から突出した部分（軒出部分）に取り付けることが望ましい。
【００２１】
発熱線２０は、例えば、図３に示すように、導線にニクロム線２１を使用し、ニクロム線２１の外周をセパレータ２２および絶縁体２３で被覆した適宜本数、例えば三芯のものを使用し、この三芯をシース２４によって覆ったものを使用できる。シース２４としては、例えばクロロプレンゴムを用いることが出来る。クロロプレンゴムは、摩耗、引っ張り、衝撃、可とう性の酷使に耐え、耐油性、耐候性、難燃性等の特性に優れる。
【００２２】
発熱線２０の、メートル当たりの出力を、例えば３０W／ｍ〜３５W／ｍに設定した場合、各発熱線２０の離隔距離は、例えば７０ｍｍ〜９０ｍｍ程度に設定することが望ましい。この程度の出力と離隔距離設定で、軒３の氷雪は速やかに融かすことが出来る。
【００２３】
軒３に雪が堆積し、氷柱が発生しやすい条件になったときに給電装置（図示せず）を介して発熱線２０を稼働させれば良く、常時、発熱線２０へ給電を行う必要はない。発熱線２０への給電は、降雪センサ（図示せず）等に連動させたスイッチを介して行っても良いが、目視等に基づく手動のスイッチ操作による電源供給／給電遮断で構わない。
【００２４】
発熱線２０は、スペーサ１２を介して配列固定する。
【００２５】
スペーサ１２は、図４に示すように、例えば、略長方形の板材１５に、略均等間隔で係止爪１１を成形／配列させたものを用いる。
【００２６】
板材（基材）１５は、好ましくは、難錆金属（例えばアルミニウム等）を用いて成形する。耐候性があれば樹脂製でも構わないが、金属板、とくにアルミニウムは錆びにくく、係止爪１１の成形も容易であり、耐候性、剛性にも優れる。他の種類の金属板を使用しても良い。
【００２７】
係止爪１１は、例えば、板材１５の上下方向略中央に、略均等間隔で配設する。この係止爪１１は、例えば、板材１５に切り込み１８を設け、当該切り込み１８部分を立ち上げて（起立させて）作ることが出来る。
【００２８】
係止爪１１は、略長方形とすることが好ましい。この実施形態では、係止爪１１が基端部（起立時の折曲部）１９から先端に向かって、上下幅が若干収縮する形状とした。基端部１９の上下幅を大きくとって剛性を確保する一方、先端に向かって上下幅を次第に小さくすることで、図５に示すように、発熱線２０を挟んで固定する際の、係止爪１１の折り曲げを容易にするためである。
【００２９】
係止爪１１は、発熱線２０を例えば７０ｍｍ〜９０ｍｍ間隔で配置出来るよう、略均等間隔で配列する。発熱線２０同士の離隔寸法は、発熱線２０の出力（発熱量）に応じて適宜設定することが望ましい。
【００３０】
スペーサ１２は、例えば、折板屋根１の立上面１−２に設ける。好ましくは、立上面１−２の上端部と下端部とに配し、立上面１−２の上端部と下端部の二ヶ所で発熱線２０を拘束する。
【００３１】
スペーサ１２を配する立上面１−２の裏面側の立上面１−３には、スペーサ１２を配さなくても良い。折板の山を構成する一方の立上面１−２にのみスペーサ１２を配しておけば、発熱線２０はしっかりと固定できるからである。勿論、他方の立上面１−３にスペーサ１２を配しても良い。また、水平面（谷面）１−４にスペーサ１２を設けても良い。折板の形状等により、発熱線２０の固定作業が容易となる箇所にスペーサ１２を配すれば良い。
【００３２】
スペーサ１２は、例えば、ネジ部材を用いた固定、接着固定等、適宜の方法で折板屋根１の表面（表側の面）に固定する。スペーサ１２は、軒出部分に配設するので、ビスを用いても建物に対して悪い影響はない。但し、屋根に孔を設けると、屋根材の劣化が早まる虞れがあるので、屋根板に孔を開けずに、接着材を用いて固定することが望ましい。
【００３３】
従って、かかる構成によれば、足場を組まなくても複数の発熱線２０を折板屋根１に固定することが出来る。このため、既設の建物にも比較的低コストで氷柱防止装置を設置することが可能となる。
【００３４】
折板屋根１の勾配は緩いので、作業者は屋根の上で立ち作業を行うことが出来る。このため、スペーサ１２の固定、係止爪１１への発熱線２０の係止等、どの作業も短い時間で完了でき、効率の良い作業を行うことが出来る。
【００３５】
図６は、スペーサ１２の近傍に、雪の滑落を防止する雪止め部材４０を設けた実施形態（第二の実施形態）を例示するものである。
【００３６】
折板屋根１は、傾斜角度が緩やかなので、屋根に積もった雪が雪崩のように滑落することはない。しかしながら、堆積した雪が外気温によって氷層となり、暖気によってゆっくり軒先４方向へ移動することはある。
【００３７】
この場合、氷層の移動によって発熱線２０がダメージを受ける可能性がある。そこで、スペーサ１２の近傍であって、軒先４の上流側に雪止め部材４０を配することにより、氷層の移動に起因する発熱線２０の損傷を防止することが出来る。
【００３８】
雪止め部材４０は、ゆっくりとした氷層の移動を、発熱線２０の上流側（屋根勾配の上方位置）で停止させる構成とする。例えば、軒先４と略平行に設けた横材４１と、この横材４１から下方に垂下させて設けた縦材４３とを備え、縦材４３は、折板屋根１の谷部を流れる氷層の下方移動を堰き止める。好ましくは、縦材４３は、氷層の下方移動を堰き止める平板材４３−１と、この平板材４３−１と横材４１とを連絡する連結材４３−２によって構成する。
【００３９】
横材４１は、例えば、ネジ材を用いて折板屋根１に固定する。配設箇所は軒出部分であるから、折板屋根の山の頂部にネジ孔を設けても問題は生じない。好ましくは、ネジ孔にコーキング処理を施す。
【００４０】
平板材４３−１は、折板屋根１の谷の形状に応じて成形し、好ましくは、平板材４３−１の下端縁を、水平面（谷面）１−４と隙間が生じないよう配設する。氷層はかたまりで動くので、必ずしも平板材４３−１の下端縁を水平面（谷面）１−４に密着させなくても氷層の下方移動を阻止することが出来る。
【００４１】
本考案に係る係止部材は、前記係止爪１１に限定されない。
【００４２】
例えば、図７に示すように、左右（矢印Ａ）に拡開／収縮できる抱持片５０を設け、抱持片５０の開口５１を広げつつ発熱線２０を押し込み、図８に示すように、開口５１を適宜手段、例えばクリップやステイプラー５２によってしっかりと閉じる等である。５３は、抱持片５０を固定する基盤である。抱持片５０、基盤５３は、金属または樹脂によって成形できる。
【００４３】
かかる抱持片５０によって、発熱線２０をスペーサ１２に係止しても、前記係止爪１１を用いた場合と同様の結果を得る。
【００４４】
発熱線２０の種類や配設本数は、前記実施形態のものに限定されない。配設本数は、適宜増減変更できる。
【００４５】
給電装置を介した発熱線２０への電源の供給／遮断は、図示しない降雪センサ、外気温センサ等を介して行っても良い。
【符号の説明】
【００４６】
１  折板屋根
１−２、１−３  （折板屋根の）立上面
１−４  （折板屋根の）水平面
３  軒
４  軒先
１１  係止爪（係止部材）
１２  スペーサ
１５  板材
１８  切り込み
１９  基端部
２０  発熱線
２１  ニクロム線（導線）
２２  セパレータ
２３  絶縁体
２４  シース
４０  雪止め部材
４１  横材
４３  縦材
４３−１  （縦材の）平板材
４３−２  （縦材の）連結材
５０  抱持片
５１  開口
５２  ステイプラー
５３  基盤
【図１】
0003206249.tif 000003
【図２】
0003206249.tif 000004
【図３】
0003206249.tif 000005
【図４】
0003206249.tif 000006
【図５】
0003206249.tif 000007
【図６】
0003206249.tif 000008
【図７】
0003206249.tif 000009
【図８】
0003206249.tif 000010
【図９】
0003206249.tif 000011
【図１０】
0003206249.tif 000012
【図１１】
0003206249.tif 000013
【図１２】
0003206249.tif 000014